(57)【要約】      （修正有）【課題】カードの種類を識別できる識別機能付きカード接続器を提供する。【解決手段】カード接続器１０は、ベースボード１１、カバー２１および複数の端子を備える。ベースボード１１は底部、二つの側壁および識別端子１８を有する。二つの側壁は底部の両側に形成され、その間に凹凸状表面によって分割された第一空間Ｓ１および第二空間Ｓ２を有する。第一空間Ｓ１は第二空間Ｓ２の下方に位置するように第二空間Ｓ２に繋がる。識別端子１８はベースボード１１の底部に配置され、かつベースボード１１の底部の後上方向へ伸びる作用部位１８５を有する。カバー２１は頂面に接続端子２８を有する。接続端子２８は降下部位２８１および水平部位２８２を有する。降下部位２８１は接続端子２８から下方に伸びて形成される。水平部位２８２は降下部位２８１の末端から水平方向に伸びて形成され、末端が識別端子１８の作用部位１８５の末端の下方に据えられる。識別端子１８が降下すると接続端子２８に接触する。【選択図】図４
0003207065.tif 000002
【実用新案登録請求の範囲】
【請求項１】
ベースボード、カバーおよび複数の端子を備え、
前記ベースボードは、底部および二つの側壁を有し、二つの前記側壁は前記底部の両側に形成され、その間に凹凸状表面によって分割された第一空間および第二空間を有し、前記第一空間は前記第二空間の下方に位置するように前記第二空間に繋がり、
前記カバーは、前記ベースボードに被さり、頂面と、前記ベースボードの前端との間に形成された差込口とを有し、前記第一空間および前記第二空間は前記カバーおよび前記ベースボードの間に据えられ、
複数の前記端子は、前記ベースボードに配置され、
前記ベースボードは、さらに前記底部に識別端子を有し、前記識別端子は前記ベースボードの前記底部の後上方向へ伸びる作用部位を有し、前記作用部位は前記第二空間に入り込まず、前記第一空間にとどまり、
前記カバーは、さらに前記頂面に接続端子を有し、前記接続端子は導電材質から製作され、降下部位および水平部位を有し、前記降下部位は前記接続端子から下方に伸びて形成され、前記水平部位は前記降下部位の末端から水平方向に伸びて形成され、末端が前記識別端子の前記作用部位の末端の下方に据えられ、
前記識別端子が降下すると前記接続端子に接触することを特徴とする、
識別機能付きカード接続器。
【請求項２】
前記接続端子の前記水平部位は、前方向かつ水平方向に伸びることを特徴とする請求項１に記載の識別機能付きカード接続器。
【請求項３】
前記接続端子は、末端に接触片を有し、前記接触片は前記水平部位の末端から一側に伸びて形成されることを特徴とする請求項２に記載の識別機能付きカード接続器。
【請求項４】
前記接続端子は、さらに前記接触片と前記水平部位との間に上昇部位を有し、前記接触片は前記上昇部位によって前記水平部位より高くなることを特徴とする請求項３に記載の識別機能付きカード接続器。
【請求項５】
前記識別端子は、さらに末端の後方に空間を有し、前記接触片は前記空間を貫通することを特徴とする請求項３に記載の識別機能付きカード接続器。
【請求項６】
前記カバーは、さらに前記頂面の両側に形成された側面部と、二つの前記側面部の底部から上方かつ後方向に向かう複数のＬ字型開口部とを有し、前記ベースボードはさらに二つの前記側壁の表面に複数の突起部を形成し、前記突起部は前記Ｌ字型開口部に嵌合されることを特徴とする請求項１または請求項５に記載の識別機能付きカード接続器。
【請求項７】
前記カバーは、導電材質から製作され、前記接続端子と前記カバーとは一体成型であることを特徴とする請求項１に記載の識別機能付きカード接続器。
【請求項８】
前記接続端子は、さらに身部に形成されたリブ部を有し、前記リブ部は前記降下部位から前記水平部位に伸びることを特徴とする請求項１に記載の識別機能付きカード接続器。
【請求項９】
前記水平部位は、前記識別端子の前記末端より低いことを特徴とする請求項１に記載の識別機能付きカード接続器。
【考案の詳細な説明】
【技術分野】
【０００１】
本考案は、カード接続器、特にカードの種類を識別できる識別機能付きカード接続器に関するものである。
【背景技術】
【０００２】
現今、カード接続器にカードを差し込む状態を検知する技術は、カード接続器の側面に一定の距離を置いて二つの片状弾性体を配置し、カード接続器に差し込まれたカードが一つの片状弾性体を圧迫し、変形させ、別の一つの片状弾性体に電気的に接触させることによってカードを差し込む状態を検知する。
例えば、特許文献１は規格の異なるカードがそれぞれ対応する部位に入り込むか否か、差し込んだカードが書き込み禁止になっているか否かを複数組の片状弾性体によって検知することを開示している。該案は、カードを差し込むと一つの接触端子が作動および変形し、共用端子に接触し、導通することによって差し込んだカードを検知するか、差し込んだカードが書き込み禁止になっているか否かを検知する。
【０００３】
上述した先行技術は、上述した目的を達成できるが、接点位置が共通するメモリーカード、例えばＳＤカード（Ｓｅｃｕｒｅ  Ｄｉｇｉｔａｌ）およびＭＭＣ（Ｍｕｌｔｉ  Ｍｅｄｉａ  Ｃａｒｄ）を検知することは難しい。ＳＤカードおよびＭＭＣは幅が同じでも厚さが異なる。従って、側面に検知端子を配置する先行技術は幅が同じでも厚さが異なるＳＤカードおよびＭＭＣの識別に適用できない。
【先行技術文献】
【特許文献】
【０００４】
【特許文献１】台湾実用新案Ｍ２６７，６００号公報
【考案の概要】
【考案が解決しようとする課題】
【０００５】
本考案は、二種類の幅が同じでも厚さが異なるカードを識別できる識別機能付きカード接続器を提供することを主な目的とする。
【課題を解決するための手段】
【０００６】
上述した課題を解決するため、識別機能付きカード接続器は、ベースボード、カバーおよび複数の端子を備える。ベースボードは底部および二つの側壁を有する。二つの側壁は底部の両側に形成され、その間に凹凸状表面によって分割された第一空間および第二空間を有する。第一空間は第二空間の下方に位置するように第二空間に繋がる。カバーはベースボードに被さり、頂面と、ベースボードの前端との間に形成された差込口とを有する。第一空間および第二空間はカバーおよびベースボードの間に据えられる。複数の端子はベースボードに配置される。ベースボードはさらに底部に配置された識別端子を有する。識別端子はベースボードの底部の後上方向へ伸びる作用部位を有する。作用部位は第二空間に入り込まず、第一空間にとどまる。カバーはさらに頂面に配置された接続端子を有する。接続端子は導電材質から製作され、降下部位および水平部位を有する。降下部位は接続端子から下方に伸びて形成される。水平部位は降下部位の末端から水平方向に伸びて形成され、末端が識別端子の作用部位の末端の下方に据えられる。識別端子が降下すると接続端子に接触する。
【０００７】
本考案は二種類の幅が同じでも厚さが異なるカードを識別端子と接続端子の組み合わせによって識別することができる。
【図面の簡単な説明】
【０００８】
【図１】本考案の一実施形態による識別機能付きカード接続器を示す斜視図である。
【図２】本考案の一実施形態による識別機能付きカード接続器のカバーが外された状態を示す斜視図である。
【図３】本考案の一実施形態による識別機能付きカード接続器のカバーが外され、接続端子が露出した状態を示す斜視図である。
【図４】本考案の一実施形態による識別機能付きカード接続器の一部分が分解され、識別端子および接続端子が露出した状態を示す斜視図である。
【図５】本考案の一実施形態による識別機能付きカード接続器を示す平面図である。
【図６】図５中の６−６線に沿った断面図である。
【図７】本考案の一実施形態による識別機能付きカード接続器にＳＤカードを差し込む過程を示す側面図である。
【図８】本考案の一実施形態による識別機能付きカード接続器の一番奥にＳＤカードを差し込んだ後の状態を示す側面図である。
【図９】本考案の一実施形態による識別機能付きカード接続器の一番奥にＭＭＣを差し込んだ後の状態を示す側面図である。
【考案を実施するための形態】
【０００９】
以下、本考案による識別機能付きカード接続器を図面に基づいて説明する。
【００１０】
（一実施形態）
図１から図６に示すように、本考案の一実施形態による識別機能付きカード接続器１０は、ベースボード１１、カバー２１および複数の端子３１を備える。
【００１１】
ベースボード１１は、底部１２および二つの側壁１４を有する。二つの側壁１４は底部１２の両側に形成され、その間に凹凸状表面によって分割された第一空間Ｓ１および第二空間Ｓ２を有する。第一空間Ｓ１は第二空間Ｓ２の下方に位置するように第二空間Ｓ２に繋がる。本実施形態において、第一空間Ｓ１はＳＤカードの形に対応するため、幅が第二空間Ｓ２の幅より小さい。
【００１２】
カバー２１は、ベースボード１１に被さり、頂面２２と、ベースボード１１の前端との間に形成された差込口２６とを有する。第一空間Ｓ１および第二空間Ｓ２はカバー２１およびベースボード１１の間に据えられる。
【００１３】
複数の端子３１は、ベースボード１１に配置され、末端が第一空間Ｓ１または第二空間Ｓ２に入り込む。
【００１４】
ベースボード１１は、さらに底部１２に配置された識別端子１８を有する。識別端子１８はベースボード１１の底部１２の後上方向へ伸びる作用部位１８５を有する。作用部位１８５は第二空間Ｓ２に入り込まず、第一空間Ｓ１にとどまる。
【００１５】
カバー２１は、さらに頂面２２に配置された接続端子２８を有する。接続端子２８は導電材質から製作され、降下部位２８１および水平部位２８２を有する。降下部位２８１は接続端子２８の下方に伸びて形成される。水平部位２８２は降下部位２８１の末端から水平方向に伸びて形成され、末端が識別端子１８の作用部位１８５の末端の下方に据えられる。
本実施形態において、接続端子２８の水平部位２８２は前方向かつ水平方向に伸び、末端に接触片２８５を有する。接触片２８５は水平部位２８２の末端から一側に伸びて形成され、かつ識別端子１８の作用部位１８５の末端の下方に据えられる。識別端子１８が強制的に降下すると接触片２８５に電気的に接触する。
一方、本実施形態において、接触端子２８はさらに接触片２８５と水平部位２８２との間に上昇部位２８３を有し、接触片２８５が上昇部位２８３によって水平部位２８２より高くなるため、識別端子１８と接触端子２８との接触距離を設定および調整する際の利便性をはかることができる。本実施形態は接触端子２８に接触片２８５を配置するが、これに限らず接触片２８５を配置せず、直接水平部位２８２を識別端子１８に電気的に接触させる方式を採用してもよい。
本実施形態は導電材質（例えば金属）でカバー２１を製作し、カバー２１と接触端子２８とを一体成型するが、これに限らず、導電材質以外の材料でカバー２１を製作し、接続端子２８をカバー２１に固定する方式を採用してもよい。上述した方式は容易に理解できるため、図面での説明を省略する。一方、本実施形態は識別端子１８の末端より低い位置に水平部位２８２を配置するため、差し込んだカードが水平部位２８２に突き当たることを排除できる。
【００１６】
識別端子１８は、さらに末端の後方に空間Ｓを有する。空間Ｓは識別端子１８の末端によって別のユニットとの間に一定の距離を置くように形成される。本実施形態において、空間Ｓはベースボード１１の内部に突起した構造との間に一定の距離を置くように形成される。接触片２８５は空間Ｓを貫通するため、カバー２１とベースボード１１を組み合わせる際の利便性をはかることができる。
【００１７】
本考案は上述した技術手段のほかに、下記の選択肢を有する。カバー２１はさらに頂面２２の両側に側面部２４を有する。二つの側面部２４はベースボード１１の二つの側壁１４に固定される。カバー２１はさらに二つの側面部２４の底部から上方かつ後方向に向かう複数のＬ字型開口部２４２を有する。ベースボード１１はさらに二つの側壁１４の表面に複数の突起部１４２を形成する。突起部１４２はＬ字型開口部２４２に嵌合される。
ベースボード１１にカバー２１を取り付ける際、下方のベースボード１１にカバー２１を被せ、Ｌ字型開口部２４２に突起部１４２を差し込む。続いて、カバー２１をベースボード１１に相対させ、前進させ、Ｌ字型開口部２４２の横方向部位と突起部１４２とを嵌め合わせれば固定作業が完了する。一方、カバー２１がベースボード１１に被されば接触端子２８の接触片２８５が空間Ｓを貫通する。カバー２１がベースボード１１に相対して前進すれば接触片２８５が識別端子１８の下方に移動する。従って、上述した方式は組み立てる際の利便性を有する。
【００１８】
本実施形態は、さらに接続端子２８にリブ部２８８を配置することができる。リブ部２８８は降下部位２８１から水平部位２８２へ伸びるため、接続端子２８の変形に対応する耐力を増大させ、接続端子２８の使用寿命を延ばすことができる。一方、接触端子２８はリブ部２８８に頼らなくても正常な機能を保つことができるため、リブ部２８８は必ずしも必要なものではない。
【００１９】
以上は、本考案の実施形態の構造についての説明である。続いて、本考案の実施形態の作動について説明する。
【００２０】
図６に示すように、カードを差し込む前、識別端子１８は圧迫されない状態であるため、末端が接触端子２８に接触せず、接触端子２８の上方に据えられる。カード接続器にカードが差し込まれたか否かを検知する機能は一般のカード接続器に内蔵された従来の技術であり、差し込んだカードを識別する本考案の技術とは異なるため、詳しい説明を省略する。
【００２１】
図２、図７および図８に示すように、ＭＭＣより厚いＳＤカード９１を差込口２６に差し込めば、ＳＤカード９１は両側の形が二つの側壁１４に対応するため、第二空間Ｓ２および第一空間Ｓ１を占める。
図７に示すように、ＳＤカード９１が一定の深さまで進むと、識別端子１８の作用部位１８５は第一空間Ｓ１に据えられるため、ＳＤカード９１は底部が作用部位１８５に接触する。
図８に示すように、ＳＤカード９１を持続的に前進させれば、識別端子１８の作用部位１８５はＳＤカード９１の底部に圧迫され、降下し、接続端子２８の接続片２８５に接触することによって電気的導通を促す。このとき、カード接続器にカードを差し込んだことはカードを差し込む状態を検知する従来の技術によって判明できる。差し込んだカードはＳＤカード９１であることが本考案の技術によって判明できる。
図６に示すように、ＳＤカード９１を取り出すと、識別端子１８は圧迫力から解放され、弾力によって接触端子２８の接触片２８５に接触する前の状態に復元する。
【００２２】
図２および図９に示すように、ＳＤカード９１より薄いＭＭＣ９２を差込口２６に差し込めば、ＭＭＣ９２は両側の形が第二空間Ｓ２の幅に対応するため、第二空間Ｓ２しか占められない。
図９に示すように、識別端子１８は作用部位１８５が第一空間Ｓ１に据えられるため、第二空間Ｓ２しか占められないＭＭＣ９２の底部から圧迫され、降下して接触端子２８に接触することがない。続いて、カード接続器にカードを差し込んだことはカードを差し込む状態を検知する従来の技術によって判明できる。差し込んだカードはＭＭＣ９２であることが本考案の技術によって判明できる。
図６に示すように、ＭＭＣ９２を取り出すと、識別端子１８は最初から圧迫力を受けなかったため、接触端子２８に接触しない位置に維持される。
【００２３】
端末技術において、差し込んだカードがＳＤカードまたはＭＭＣであるかを本考案の技術によって識別できた後、差し込んだカードを読み取るか否かをチップ（図中未表示）によって制御することができる。例えば、差し込んだカードがＳＤカードと判断されるとＳＤカードの読み取りを行う。差し込んだカードがＭＭＣと判断されると読み取りはしない。この部分は本考案を説明するための一例であるため、本考案の請求範囲を限定しない。
【００２４】
第一空間Ｓ１および第二空間Ｓ２は幅の大きさがカードの形に対応するように設計される。本考案はＳＤカードおよびＭＭＣの識別に適用することを例として挙げるため、第一空間Ｓ１は第二空間Ｓ２より狭く設計される。一方、別の形が異なるカードに対応し、第一空間Ｓ１を第二空間Ｓ２より広くする必要がある場合、ベースボード１１の二つの側壁１４の凹凸状表面を変更すればよい。つまり、本考案による識別技術を適用できる。
【００２５】
上述した説明により、本考案は幅が同じでも厚さが異なるＳＤカードおよびＭＭＣの識別に適用できるが、これに限らず、別のカード種類の規格を識別できる。従って、本考案は、上記実施形態になんら限定されるものではなく、考案の趣旨を逸脱しない範囲において種々の形態で実施可能である。
【符号の説明】
【００２６】
１０  識別機能付きカード接続器
１１  ベースボード
１２  底部
１４  側壁
１４２  突出部
１８  識別端子
１８５  作用部位
２１  カバー
２２  頂面
２４  側面部
２４２  Ｌ字型開口部
２６  差込口
２８  接続端子
２８１  降下部位
２８２  水平部位
２８３  上昇部位
２８５  接触片
２８８  リブ部
３１  端子
９１  ＳＤカード
９２  ＭＭＣ
Ｓ  空間
Ｓ１  第一空間
Ｓ２  第二空間
【図１】
0003207065.tif 000003
【図２】
0003207065.tif 000004
【図３】
0003207065.tif 000005
【図４】
0003207065.tif 000006
【図５】
0003207065.tif 000007
【図６】
0003207065.tif 000008
【図７】
0003207065.tif 000009
【図８】
0003207065.tif 000010
【図９】
0003207065.tif 000011